(57)【要約】【目的】インチ寸法、メートル寸法いずれの踏み板にも対応可能であり、しかも防音パネルが破損した場合には、破損した防音パネルのみを取り外し、取り付けが可能な防音パネルの取り付け装置を提供すること。【構成】板状体と該板状体に対して直角方向に設けられた段差部と段差部に対して直角方向に延設され先端が屈曲された一対の係止部と板状体に対して上記直角方向に設けられた孔部とを備えたレール部材と、板体の両側を屈曲し端縁を更に屈曲すると共に該板体の両側の中央位置からずらして板体に孔部を設け、当該孔部にボルトを備えた係止部材と、側壁に緊締部材を挿通した孔部を備えたクランプとにより構成した。【選択図】        図１
2018096056.tif 000002
【特許請求の範囲】
【請求項１】
板状体と、該板状体に対して直角方向に設けられた段差部と、段差部に対して直角方向に延設され先端が屈曲された一対の係止部と、板状体に対して上記直角方向に設けられた孔部とを備えたレール部材と、
板体の両側を屈曲し端縁を更に屈曲すると共に、該板体の両側の中央位置からずらして板体に孔部を設け、当該孔部にボルトを備えた係止部材と、
側壁に緊締部材を挿通した孔部を備えたクランプと、
により成る防音パネルの取り付け部材。
【請求項２】
緊締部材が挿通される円筒体を備えた請求項１に記載の防音パネルの取り付け部材。
【発明の詳細な説明】
【技術分野】
【０００１】
本発明は、建設現場において工事の騒音が外部に漏れるのを防止するために設置される防音パネルを、仮設足場の外周に取り付けるための取付装置に関する。
【背景技術】
【０００２】
建築現場において構築される仮設足場には、作業騒音が外部へ漏れるのを防止するために防音パネルが配設される。
【０００３】
図２０は仮設足場１に防音パネル１０や踏み板３等を配設した状態を示すものである。防音パネル１０は、単管パイプ等から成る仮設足場用支柱２に結合されるクランプにより、この支柱２に複数枚を連続して取り付け、仮設足場の外側をこの防音パネル１０で囲むようにするものである。
【０００４】
防音パネル１０は図２１に示すように、吸音材、吸音板、遮音板等よりなるパネル材１１の周囲を金属フレーム１２で覆ったものであり、この金属フレーム１２の上下各縁枠の両端部に夫々ピン挿通用の貫通孔１２ａが設けられている。
【０００５】
図２２及び図２３は防音パネル１０を仮設足場用支柱２にクランプ２０を用いて取り付けた状態を示すものである。クランプ２０は、ベース部材２１と押え部材２２と締付用ボルトナット２３とからなる周知構造のパイプクランプ２４と、このクランプ２４のベース部材２１に固着された一対のＬ字状取付ピン２５，２５とによって構成され、各Ｌ字状取付ピン２５は、水平部２５ａと垂直部２５ｂでＬ字状に形成されていて、水平部２５ａの基端部がベース部材２１の基部下面に対し直角に突設されている。当該垂直部２５ｂが、防音パネル１０の周辺部に配設された金属フレーム１２の貫通孔１２ａに下側から挿入されることにより、防音パネル１０が仮設足場用支柱２に取り付けられる。
【０００６】
Ｌ字状取付ピン２５は、図２２に示すように上下方向に隣接する２枚の防音パネル１０，１０の貫通孔１２ａ，１２ａに挿通されるものである。また、Ｌ字状取付ピン２５が２つあるのは、図２３に示すように、水平方向に隣り合う左右２つの防音パネル１０，１０の隣接する貫通孔１２ａ，１２ａに挿通させるためである。
【０００７】
特許文献１には、上下を逆にして仮設足場用支柱に取り付けることが可能であって、上下寸法を小さくできて小型化を図ることができる仮設用防音パネルの取付クランプが開示されている。
【先行技術文献】
【特許文献】
【０００８】
【特許文献１】特開２０１５−７８５６９号公報
【発明の概要】
【発明が解決しようとする課題】
【０００９】
図２４に示されるように、踏み板３は方形の板状体であり、その両端には仮設足場用支柱２に係止するための円弧状の凹部を有する係止部３ａが設けられている。かかる踏み板３の汎用品における長手方向長さＢは、インチ寸法のものとメートル寸法のものが流通している。具体的には近似寸法のものとして長手方向長さＢが１８２９ｍｍのものと１８００ｍｍのものなどが並存する現状となっている。
【００１０】
図２０に示すように踏み板３は水平方向に配設される仮設足場用支柱２ａに係止されるが、垂直方向に配設される仮設足場用支柱２に対して、水平方向に配設される仮設足場用支柱２ａが固定されることから、結局、垂直方向に配設される仮設足場用支柱２，２間の距離Ａも踏み板３の寸法Ｂに規定されることになる。とすると防音パネル１０の寸法も踏み板３の寸法に規定されることになり、例えば長手方向長さが１８２９ｍｍのものと１８００ｍｍのものとを揃えねばならないなど、煩雑かつ不経済な事態となってしまう。
【００１１】
また、上述の通り垂直方向に隣接される防音パネル同士、水平方向に隣接される防音パネル同士が同じクランプで固定されることから、例えば図２０における下段に配設されている防音パネル１０が破損して交換をする必要がある場合などには、その上段に存する防音パネル１０をも取り外す必要が生じてしまう。建築現場では作業に伴い防音パネルが破損することは頻繁に起こりうることであり、その都度多数の防音パネルの取り外し・取り付けを行うことは作業効率を著しく損なうものである。
【００１２】
本発明は上記のような問題点を解消することを目指すものであり、具体的にはインチ寸法、メートル寸法いずれの踏み板にも対応可能であり、しかも防音パネルが破損した場合には、破損した防音パネルのみを取り外し、取り付けが可能な防音パネルの取り付け装置を提供することを目的とする。
【課題を解決するための手段】
【００１３】
上記の目的を達成する本発明の構成は以下の通りである。
【００１４】
（１) 請求項１に記載の発明は、板状体と該板状体に対して直角方向に設けられた段差部と段差部に対して直角方向に延設され先端が屈曲された一対の係止部と板状体に対して上記直角方向に設けられた孔部とを備えたレール部材と、板体の両側を屈曲し端縁を更に屈曲すると共に該板体の両側の中央位置からずらして板体に孔部を設け、当該孔部にボルトを備えた係止部材と、側壁に緊締部材を挿通した孔部を備えたクランプとにより構成した。
【００１５】
（２) 請求項２に記載の発明は、請求項１に記載の防音パネルの取り付け装置において、緊締部材が挿通される円筒体を更に備えて構成した。
【発明の効果】
【００１６】
上記のように構成される本発明が、如何に作用して課題を解決するかを図面を参照しながら概説する。なお、本発明にかかる防音パネル取り付け部材は、図２０に示されるような仮設足場用支柱２で組み立てられる従来の仮設足場１に適用されるものである。
【００１７】
図１はレール部材１０をクランプ２０に取り付けた状態を示している。足場用支柱２に固定されたクランプ２０に対して、緊締部材５０を用いてレール部材１０は固定されている。
【００１８】
図２、図３は、かようにして、足場用支柱２に対して固定されたレール部材１０に対して、防音パネル３０を取り付けた状態を示すものである。この際、図３に示すように防音パネル３０を段差部１２上に当接する形態で取り付けるか、あるいは図２に示すように、防音パネル３０を板状体１１上に当接する形態で取り付けるかにより、インチ寸法、メートル寸法いずれの踏み板に対して、も同一長の防音パネル３０を取り付けることが可能となるのである。
【００１９】
すなわち、図５に示すように段差部１２上に防音パネル３０を取り付ければ、防音パネル３０をレール部材１０のセンター位置（仮想線Ｃ２で表示）近くに取り付けることが可能となり、その結果、踏み板の流さがメートル寸法であり短い場合、例えば１８００ｍｍの場合にも、隣接するレール部材１０，１０間、つまりは隣接する足場用支柱間に防音パネル３０を取り付けることが可能となるのである。
【００２０】
他方で、図４に示すように板状体１１上に防音パネル３０を取り付ければ、防音パネル３０をレール部材１０のセンター位置（仮想線Ｃ１で表示）から図５に示す場合より遠くに取り付けることが可能となり、その結果、踏み板の流さがインチ寸法であり長い場合、例えば１８２９ｍｍの場合にも、隣接するレール部材１０間、つまりは隣接する足場用支柱間に防音パネル３０を取り付けることが可能となるのである。
【００２１】
かようにして本発明によればインチ寸法、メートル寸法いずれの踏み板にも対応可能となるのである。
【００２２】
図６、図７はレール部材１０に係止部材４０を用いて防音パネル３０を取り付けた状態を示すものである。レール部材１０を構成する係止部１３に、係止部材４０を係止し、係止部材４０の孔部に４１に挿通されたボルト４２で、防音パネル３０の枠体３１をレール部材１０に押圧することで、防音パネル３０を固定する構造となっている。
【００２３】
かように本発明によれば、従来例のように上下あるいは左右に位置する防音パネルを同一のクランプで固定するわけではないので、取り付け位置にかかわらず、係止部材４０を取り外しさえすれば、一枚のみを取り外し、あるいは取り付けることが可能となるのである。
【００２４】
なお、請求項２に記載の発明では、図１に示すように、クランプ２０を構成する緊締部材２２が、円筒体５０内に挿通されている。これは円筒体５０を介在させることでクランプ２０とレール部材１０との間の距離を確保することで係止部材４０の取り付けや取り外し、しいては防音パネル３０の取り付けや取り外しを容易にするためである。
【図面の簡単な説明】
【００２５】
【図１】クランプにレール部材を取り付けた状態を示す説明図
【図２】防音パネルを固定した状態の説明図
【図３】防音パネルを固定した状態の説明図
【図４】本発明の実施状態を示す説明図
【図５】本発明の実施状態を示す説明図
【図６】本発明の実施状態を示す説明図
【図７】本発明の実施状態を示す説明図
【図８】レール部材の平面図
【図９】レール部材の正面、平面、右側面を現す図
【図１０】クランプの正面図
【図１１】クランプの平面図
【図１２】クランプの背面図
【図１３】係止部材の平面図
【図１４】係止部材の正面、平面、右側面を現す図
【図１５】金属フレームの平面図
【図１６】金属フレームの正面、平面、右側面を現す図
【図１７】金属フレームの平面図
【図１８】金属フレームの正面、平面、右側面を現す図
【図１９】パネル材に金属フレームを取り付けた状態を示す説明図
【図２０】仮設足場の概略説明図
【図２１】従来例防音パネルの説明図
【図２２】従来例防音パネルの取り付け状態説明図
【図２３】従来例防音パネルの取り付け状態説明図
【図２４】踏み板の説明図
【発明を実施するための形態】
【００２６】
以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００２７】
本発明にかかる防音パネル取り付け装置は、図１に示すように仮設足場を構成する仮設足場用支柱２に、クランプ２０で取り付けるものである。具体的には、図１２に示されるクランプ２０の側壁に設けられた孔部２１に、例えばボルト及びナットで構成される緊締部材２２を挿通し、当該緊締部材２２を図６や図７に示すようにレール部材１０の孔部１４に挿通することで、レール部材１０を足場用支柱２に固定するものである。この際、足場用支柱２とレール部材１０との間に十分な間隔を取るために、図１や図６・図７に示すように、緊締部材２２を挿通した円筒体５０を、クランプ２０とレール部材１０の間に介在させても良い。なお、図６及び図７においては、クランプ２０は省略してある。
【００２８】
上記のようにして足場用支柱２に固定されたレール部材１０に対して、図６や図７に示すように、係止部材４０を用いて防音パネル３０を取り付けるものである。以下、各部材に関し詳述する。
【００２９】
レール部材１０は、図８や図９に示されるように、板状体１１に対して直角方向に一対の段差部１２，１２が設けられ、該段差部１２に対して更に直角方向に延設され、先端が屈曲された鉤状部１３ａを備えた一対の係止部１３，１３より成るものである。段差部１２はレール部材１０自体を軽量化するため空洞に形成してある。係止部１３，１３間には補強板１３ｂが介在させてある。
【００３０】
またレール部材１０には、緊締部材２２を挿通するための孔部１４が複数設けられている。孔部１４は板状体１１を貫通する１４ａ、補強板１３ｂを貫通する１４ｂより成る。緊締部材２２の挿通の邪魔になる場合は、鉤状部１３ａに切欠き１３ｂを設ける必要がある。
【００３１】
クランプ２０は図１０乃至図１２に示すように、ベース部材２３と押え部材２４と締付用ボルトナット２５とからなる周知構造のクランプであり、押さえ部材２４はピン２４ａを軸として回動可能であり、締付用ボルトナット２５はピン２５ａを軸として回動可能に設けてある。また、ベース部材２３の側壁には緊締部材２２を挿通して装備させるための孔部２１が設けてある。図１に示すように緊締部材２２は円筒体５０に挿通してある。円筒体５０は金属製の中空の円柱である。
【００３２】
係止部材４０は図１３、図１４に示すように、板体の両側を屈曲し、端縁を更に屈曲して鉤状部４３を形成してある。該板体の両側の中央位置（仮想線Ｃ３）からずらして板体に孔部４１が設けてある。この孔部４１にはボルト４２を挿通するものである。
【００３３】
防音パネル３０は、図６や図７に示すように、吸音材、吸音板、遮音板等よりなる方形のパネル材３１の周囲を金属フレーム３２，３３で覆ったものである。
【００３４】
金属フレーム３２は、図１５、図１６に示すように平面視縦長方形であり中空の柱状体３２ａと、平面視横長方形であり中空の柱状体３２ｂを組み合わせたものである。柱状体３２ａには、金属フレーム３３を嵌め込むための凹溝３２ｃが設けてある。
【００３５】
金属フレーム３３は、図１７、図１８に示すように、端部に細長の差込部３３ａを備えた板体であり、当該差込部３３ａを上記凹溝３２ｃに嵌め込むものである。
【００３６】
図１９に示されるように、金属フレーム３２に金属フレーム３３を嵌め込むことで形成された凹部にパネル材３１を嵌め込み、ネジ３４で固定することで、防音パネル３０が形成されるものである。
【符号の説明】
【００３７】
１０・・レール部材    １１・・板状体      １２・・段差部
１３・・係止部        １４・・孔部
２０・・クランプ      ２１・・孔部        ２２・・緊締部材
３０・・防音パネル    ３１・・パネル材    ３２，３３・・金属フレーム
４０・・係止部材      ４１・・孔部        ４２・・ボルト
５０・・円筒体
【図１】
2018096056.tif 000003
【図２】
2018096056.tif 000004
【図３】
2018096056.tif 000005
【図４】
2018096056.tif 000006
【図５】
2018096056.tif 000007
【図６】
2018096056.tif 000008
【図７】
2018096056.tif 000009
【図８】
2018096056.tif 000010
【図９】
2018096056.tif 000011
【図１０】
2018096056.tif 000012
【図１１】
2018096056.tif 000013
【図１２】
2018096056.tif 000014
【図１３】
2018096056.tif 000015
【図１４】
2018096056.tif 000016
【図１５】
2018096056.tif 000017
【図１６】
2018096056.tif 000018
【図１７】
2018096056.tif 000019
【図１８】
2018096056.tif 000020
【図１９】
2018096056.tif 000021
【図２０】
2018096056.tif 000022
【図２１】
2018096056.tif 000023
【図２２】
2018096056.tif 000024
【図２３】
2018096056.tif 000025
【図２４】
2018096056.tif 000026